(57)【要約】【課題】本発明は、血圧値の測定に用いられた情報の提供を目的とする。【解決手段】本発明に係る血圧計は、血圧値の測定開始から測定終了に至るまでに検出された脈波の信号レベルを、時系列のグラフで表示することのできる表示手段を備えることを特徴とする。具体的には、脈波及び圧力を検出し、検出する脈波及び圧力から血圧値を算定する血圧算定手段と、前記血圧算定手段の検出する脈波の信号レベルの時系列グラフを時系列脈波グラフとして表示する表示手段と、を備える。【選択図】図１
2007098003.tif 000002
【特許請求の範囲】
【請求項１】
脈波及び印加する圧力を検出し、検出する脈波及び圧力から血圧値を算定する血圧算定手段と、
前記血圧算定手段の検出する脈波の信号レベルの時系列グラフを時系列脈波グラフとして表示する表示手段と、を備えることを特徴とする血圧計。
【請求項２】
前記血圧算定手段は、光電センサを用いて脈波を検出することを特徴とする請求項１に記載の血圧計。
【請求項３】
前記血圧算定手段は、検出する脈波の波形を１０ｍｓｅｃ以下のサンプリング間隔で抽出し、
前記表示手段は、前記血圧算定手段の抽出する脈波の信号レベルの時系列グラフを時系列脈波グラフとして表示することを特徴とする請求項１又は２に記載の血圧計。
【請求項４】
前記表示手段は、前記血圧算定手段の検出する圧力の時系列グラフを時系列圧力グラフとしてさらに表示することを特徴とする請求項１から３に記載のいずれかの血圧計。
【請求項５】
前記血圧算定手段は、検出する圧力を１０ｍｓｅｃ以下のサンプリング間隔で抽出し、
前記表示手段は、前記血圧算定手段の抽出する圧力の時系列グラフを時系列圧力グラフとして表示することを特徴とする請求項４に記載の血圧計。
【請求項６】
前記表示手段は、前記時系列脈波グラフと前記時系列圧力グラフとを異なる色彩で表示することを特徴とする請求項４又は５に記載の血圧計。
【請求項７】
前記血圧算定手段は、血圧値として収縮期血圧値、拡張期血圧値、平均血圧値を算定し、
前記表示手段は、前記血圧算定手段の算定する収縮期血圧値、拡張期血圧値、平均血圧値をさらに表示することを特徴とする請求項１から６に記載のいずれかの血圧計。
【請求項８】
前記表示手段は、前記血圧算定手段の算定する収縮期血圧値、拡張期血圧値、平均血圧値の圧力が検出された時点を、前記時系列圧力グラフ上にさらに表示することを特徴とする請求項７に記載の血圧計。
【請求項９】
前記血圧算定手段は、血圧値として収縮期血圧値、拡張期血圧値、平均血圧値を算定し、
前記表示手段の表示している前記時系列脈波グラフ及び前記時系列圧力グラフの画面と、前記表示手段の表示している前記血圧算定手段の算定する血圧値としての収縮期血圧値、拡張期血圧値及び平均血圧値の画面と、を切替える切り替えボタンをさらに備えることを特徴とする請求項４から６に記載のいずれかの血圧計。
【請求項１０】
前記表示手段は、前記血圧算定手段が血圧値を算定した年月日及び時刻をさらに表示することを特徴とする請求項１から９に記載のいずれかの血圧計。
【請求項１１】
前記血圧算定手段の検出する脈波及び圧力を記憶する記憶手段をさらに備えることを特徴とする請求項１から１０に記載のいずれかの血圧計。
【請求項１２】
前記記憶手段は、前記血圧算定手段の算定する血圧値として、収縮期血圧値、拡張期血圧値及び平均血圧値をさらに記憶することを特徴とする請求項１１に記載の血圧計。
【請求項１３】
前記記憶手段は、着脱可能でありかつコンピュータで読み取り可能であることを特徴とする請求項１１又は１２に記載の血圧計。
【発明の詳細な説明】
【技術分野】
【０００１】
本発明は、血圧値の測定に用いられる脈波を表示する表示手段を設けた血圧計に関する。
【背景技術】
【０００２】
高齢化が進み、成人の生活習慣病への対応が社会的に大きな課題となっている。特に高血圧値に関連する疾患の場合、長期の血圧値の収集が非常に重要である点が認識されている。このような観点から、血圧値を始めとして、脈拍、脈波、心電、体温又は動脈血酸素飽和度等の生体情報を継続的に測定する測定装置が開発されている。
【０００３】
生体情報を継続的に測定する測定装置として、外耳道に常時装着する患者モニタ装置がある（例えば、特許文献１参照。）。この装置は、被検者内へ放射した赤外光、可視光の散乱光の受光量から血圧値などを算出するものである。しかし、患者モニタ装置では、血圧計の具体的な構成は示されていない。
【０００４】
また、従来の血圧計は、表示機能が設けられていても、検出した脈波及び印加する圧力から算定した結果の血圧値を示すものであった。測定途中において表示する場合でも、測定中に変化する圧力の数値表示や、拍動を示すハートマークの点滅など暫定的な表示のみであり、血圧値の算定に直接作用する情報は表示されていなかった。例えば、血圧値を算定するための脈波にノイズが重畳されていても表示されなかった。したがって、被検者にとっては、血圧値の算定がどのようになされたかを知るすべはなく、算定された結果である血圧値については血圧計に組み込まれている血圧値の算定プロセスを信用せざるを得なかった。
【０００５】
ここで、耳介の名称は非特許文献１、２、３による。
【特許文献１】特開平９−１２２０８３号公報
【非特許文献１】Ｓｏｂｏｔｔａ  図説人体解剖学第１巻（監訳者：岡本道雄）、ｐ．１２６、（株）医学書院、１９９６年１０月１日発行
【非特許文献２】Ｓｏｂｏｔｔａ  図説人体解剖学第１巻（監訳者：岡本道雄）、ｐ．１２７、（株）医学書院、１９９６年１０月１日発行
【非特許文献３】からだの地図帳  （監修・解説：高橋長雄）、ｐ．２０、（株）講談社、２００４年１月２９日発行
【発明の開示】
【発明が解決しようとする課題】
【０００６】
上記のように、従来の血圧計は、血圧値の算定結果のみを表示し、血圧値を算定する基礎データの情報は表示されなかった。したがって、本発明は、血圧値の算定に用いられた情報の提供を目的とする。
【課題を解決するための手段】
【０００７】
本発明は、血圧値の算定に用いられる脈波の信号レベルを、時系列のグラフで表示することのできる表示手段を備えることを特徴とする。
【０００８】
具体的には、本発明に係る血圧計は、脈波及び印加する圧力を検出し、検出する脈波及び圧力から血圧値を算定する血圧算定手段と、前記血圧算定手段の検出する脈波の信号レベルの時系列グラフを時系列脈波グラフとして表示する表示手段と、を備えることを特徴とする。
【０００９】
血圧算定手段の検出する脈波の信号レベルの時系列グラフを時系列脈波グラフとして表示するので、血圧算定手段がどのような脈波を検出し、検出した脈波のどのような特徴点を用いて血圧値を算定したかを明示することができる。これにより、被検者は脈波にノイズが重畳されていないことを視認によって確認することができる。よって、被検者は血圧値の算定が正常に行われたかを被検者自身で確認することができる。
【００１０】
血圧算定手段は、光電センサを用いて脈波を検出することが好ましい。
【００１１】
血圧算定手段が光電センサを用いて脈波を検出すれば、脈波に印加する圧力が重畳されていないので、正確な脈波の波形を検出することができる。
【００１２】
前記血圧算定手段は、検出する脈波の波形を１０ｍｓｅｃ以下のサンプリング間隔で抽出し、前記表示手段は、前記血圧算定手段の抽出する脈波の信号レベルの時系列グラフを時系列脈波グラフとして表示することが好ましい。
【００１３】
時系列脈波グラフを１０ｍｓｅｃ以下のサンプリング間隔で表示するので、時系列脈波グラフの変動を明示することができる。
【００１４】
前記表示手段は、前記血圧算定手段の検出する圧力の時系列グラフを時系列圧力グラフとしてさらに表示することが好ましい。
【００１５】
時系列圧力グラフをさらに表示するので、血圧値の算定に用いられた脈波の各特徴点における圧力をグラフ表示することができる。
【００１６】
前記血圧算定手段は、検出する圧力を１０ｍｓｅｃ以下のサンプリング間隔で抽出し、前記表示手段は、前記血圧算定手段の抽出する圧力の時系列グラフを時系列圧力グラフとして表示することが好ましい。
【００１７】
時系列圧力グラフを１０ｍｓｅｃ以下のサンプリング間隔で表示するので、時系列圧力グラフの変動を明示することができる。
【００１８】
前記表示手段は、前記時系列脈波グラフと前記時系列圧力グラフとを異なる色彩で表示することが好ましい。
【００１９】
時系列脈波グラフと時系列圧力グラフとを異なる色彩で表示するので、時系列脈波グラフと時系列圧力グラフとを重ねて表示することができる。よって、血圧算定手段がどのような脈波を検出し、検出した脈波のどのような特徴点を用いて血圧値を算定したかをより明確に表示することができる。
【００２０】
前記血圧算定手段は、血圧値として収縮期血圧値、拡張期血圧値、平均血圧値を算定し、前記表示手段は、前記血圧算定手段の算定する収縮期血圧値、拡張期血圧値、平均血圧値をさらに表示することが好ましい。
【００２１】
表示手段は、時系列脈波グラフ及び血圧値を同時に表示することができる。よって、被検者は、測定された血圧値を、血圧値の算定に用いられた脈波の特徴点を参照しながら確認することができる。
【００２２】
前記表示手段は、前記血圧算定手段の算定する収縮期血圧値、拡張期血圧値、平均血圧値の圧力が検出された時点を、前記時系列圧力グラフ上にさらに表示することが好ましい。
【００２３】
表示手段は、血圧値を算定した時点を時系列圧力グラフ上に表示することができる。よって、血圧算定手段が血圧値と算定した時点を時系列圧力グラフ上に明示することができる。
【００２４】
前記血圧算定手段は、血圧値として収縮期血圧値、拡張期血圧値、平均血圧値を算定し、前記表示手段の表示している前記時系列脈波グラフ及び前記時系列圧力グラフの画面と、前記表示手段の表示している前記血圧算定手段の算定する血圧値としての収縮期血圧値、拡張期血圧値及び平均血圧値の画面と、を切替える切り替えボタンをさらに備えることが好ましい。
【００２５】
表示手段は、時系列脈波グラフ及び時系列圧力グラフの表示と、測定した血圧値とを切り替えることができるので、時系列脈波グラフ及び時系列圧力グラフの表示を拡大表示することができる。よって、被検者は、血圧値の算定に用いられた脈波の特徴点をより明確に視認することができる。
【００２６】
前記表示手段は、前記血圧算定手段が血圧値を算定した年月日及び時刻をさらに表示することが好ましい。
【００２７】
表示手段は、血圧値に関連付けて記憶されている年月日及び時刻をさらに表示するので、血圧値の測定された日時を確認することができる。
【００２８】
前記血圧算定手段の検出する脈波及び圧力を記憶する記憶手段をさらに備えることが好ましい。
【００２９】
記憶手段が脈波及び圧力を記憶するので、血圧値を算定する基礎データを記録することができる。
【００３０】
前記記憶手段は、前記血圧算定手段の算定する血圧値として、収縮期血圧値、拡張期血圧値及び平均血圧値をさらに記憶することが好ましい。
【００３１】
記憶手段がさらに血圧値を記憶するので、血圧値の測定結果を即時に読み出すことができる。よって、表示手段は血圧値を即時に表示することができる。
【００３２】
前記記憶手段は、着脱可能でありかつコンピュータで読み取り可能であることが好ましい。
【００３３】
記憶手段が着脱可能なので、被検者は脈波及び圧力を保存し続けることができる。また、記憶手段がコンピュータで読み取り可能なので、被検者はコンピュータを用いて解析することができる。
【発明の効果】
【００３４】
本発明によれば、血圧値の測定時において検出され、血圧値の算定に用いられた脈波の信号レベルを、時系列のグラフで表示することができる。これにより、血圧値の測定時においてどのような脈波が検出され、脈波のどのような特徴点を用いて血圧値が算定されたかを明示することができる。
【発明を実施するための最良の形態】
【００３５】
添付の図面を参照して本発明の実施の形態を説明する。以下に説明する実施の形態は本発明の構成の例であり、本発明は、以下の実施の形態に制限されるものではない。
【００３６】
図１は、本実施形態に係る血圧計の模式図である。本実施形態に係る血圧計９１は、脈波１及び印加する圧力２を検出し、検出する脈波１及び圧力２から血圧値３を算定する血圧算定手段１１と、血圧算定手段１１の検出する脈波１の信号レベルの時系列グラフを時系列脈波グラフ５として表示する表示手段１２と、を備える。
【００３７】
血圧計９１は、さらに、血圧算定手段１１の取得した情報を表示手段１２の表示用の信号に変換する情報処理手段３５と、情報処理手段３５を格納する筐体３６と、表示手段１２の表示画面を切替える切り替えボタン１３と、血圧算定手段１１の検出する脈波１及び圧力２を記憶する記憶手段３８と、を備えていてもよい。
【００３８】
血圧算定手段１１は、脈波１及び印加する圧力２を検出し、検出する脈波１及び圧力２から血圧値３を算定するものである。例えば、圧迫するカフ３１と、カフ３１の圧迫する圧力２を増減する圧力可変手段３２と、カフ３１の圧迫する圧力２を検出する圧力検出手段３３と、脈波１を検出する脈波検出手段３４と、血圧値３を算定する情報処理手段３５と、カフ３１、圧力可変手段３２、圧力検出手段３３及び脈波検出手段３４を接続する空気チューブ３７と、を備えるものを用いることができる。
【００３９】
カフ３１は、圧迫するものである。例えば、カフ３１内の空気圧の増減によって膨張又は伸縮する空気カフを用いることができる。また、アクチュエータ等の駆動機構によって変形するものでもよい。カフ３１の形状は限定するものではなく、例えば、被検者の一部を周回する帯状体を用いることができる。また、被検者の一部を両側から挟持するものでもよい。
【００４０】
圧力可変手段３２は、カフ３１の圧迫する圧力２を増減するものである。カフ３１が空気圧の増減によって膨張又は伸縮する空気カフであれば、例えば、カフ３１へ供給又は排出を行う空気ポンプを用いることができる。また、カフ３１を変形させるアクチュエータ等の駆動機構であってもよい。
【００４１】
圧力検出手段３３は、カフの圧迫する圧力２を検出するものである。カフ３１が空気圧によって圧迫する場合は、例えば、圧力検出手段３３は、カフ３１の内気圧を検出する気圧計とすることができる。この場合、カフ３１の内部で内気圧を検出してもよいが、カフ３１の内部と気圧が等しくなるように接続されている空気チューブ３７の内気圧を検出することにより、カフ３１の内部で内気圧を検出することもできる。このように、カフ３１の内気圧を検出することで、カフ３１から離れた場所でも圧迫する圧力を検出することができる。圧力検出手段３３は、カフ３１の表面に印加される圧力を検出する圧電素子であってもよい。圧電素子としては、例えば感圧導電ゴムを用いることができる。圧電素子は構造が簡単なので、圧力検出手段３３を小型化することができる。
【００４２】
血圧算定手段１１は、圧力検出手段３３の検出する圧力２を１０ｍｓｅｃ以下のサンプリング間隔で抽出することが好ましい。圧力２のサンプリング間隔は、例えば、１０ｍｓｅｃ以下０．１ｍｓｅｃ以上のいずれかとすることができる。例えば、サンプリング周波数を、１００Ｈｚとしてもよいし、１ｋＨｚとしてもよいし、２ｋＨｚとしてもよい。このように、血圧算定手段１１が圧力２を１０ｍｓｅｃ以下のサンプリング間隔で抽出すれば、表示手段１２は時系列圧力グラフ６の変動を明示することができる。
【００４３】
脈波検出手段３４は、脈波１を検出するものである。脈波検出手段３４は、光電センサを用いて脈波を検出することが好ましい。すなわち、血圧算定手段１１は、光電センサを用いて脈波を検出することが好ましい。光電センサは、例えば、発光素子から出射された光による散乱光を受光して脈波を受光素子で検出するものを用いることができる。発光素子は、例えば、ヘモグロビンで吸収される波長や、血管壁で散乱される波長を発光するものである。受光素子は、散乱光を受光するものである。発光素子、受光素子とも複数有してもよく、ドップラーレーダーであってもよい。散乱光を受光して脈波を検出することにより、振動の影響の少ない脈波検出をすることができる。このように、血圧算定手段１１が光電センサを用いて脈波を検出すれば、印加する圧力が重畳されていない正確な脈波の波形を検出することができる。また、末梢血管での脈波検出の精度を向上することができる。
【００４４】
血圧算定手段１１は、脈波検出手段３４の検出する脈波１の波形を１０ｍｓｅｃ以下のサンプリング間隔で抽出することが好ましい。脈波１の波形のサンプリング間隔は、例えば、１０ｍｓｅｃ以下０．１ｍｓｅｃ以上のいずれかとすることができる。例えば、サンプリング周波数を、１００Ｈｚとしてもよいし、１ｋＨｚとしてもよいし、２ｋＨｚとしてもよい。このように、血圧算定手段１１が脈波１の波形を１０ｍｓｅｃ以下のサンプリング間隔で抽出すれば、表示手段１２は時系列脈波グラフ５の変動を明示することができる。
【００４５】
なお、脈波検出手段３４は、コロトコフ音、圧脈（心臓の拍動に同調した血管壁の振動）を検出するものも用いることができる。圧脈（心臓の拍動に同調した血管壁の振動）を検出するものとしては、例えば、カフ３１に印加される圧力の変化を検出して脈波を検出する圧電素子を有するものを用いることができる。脈波検出手段３４に圧電素子を用いることにより、脈波検出手段３４の構造を簡単にすることができる。また、脈波検出手段３４を小型化することができる。なお、圧力検出手段３３が脈波１を検出することのできる圧電素子であれば、圧力検出手段３３を脈波検出手段３４として用いることができる。
【００４６】
空気チューブ３７は、カフ３１、圧力可変手段３２、圧力検出手段３３及び脈波検出手段３４を接続するものである。空気チューブ３７としては、例えば、ゴム製又は樹脂製の中空管を用いることができる。
【００４７】
情報処理手段３５は、血圧算定手段１１の取得した情報を表示手段１２の表示用の信号に変換するものである。さらに、情報処理手段３５は、脈波１及び圧力２から血圧値３を算定するものである。血圧値３の算定例について、図１及び図２を用いて説明する。図２は、血圧値の測定過程の一例を示すグラフであり、（ａ）は圧力の時間推移、（ｂ）は脈波の信号レベルの時間推移を示す。図２（ａ）は、心臓の鼓動による周期的な動脈内圧６１と、図１に示すカフ３１の圧迫する圧力２と、を示す。図２（ｂ）は、脈波検出手段３４の検出した脈波１の信号レベルを示す。圧力２を増加し、動脈の血流が停止する程の圧力Ｐ０まで圧迫する。この圧力Ｐ０を測定開始圧力値Ｐ０とする。このときの時間は時点Ｔ０であり、時点Ｔ０では図２（ｂ）に示した脈波１はほぼ検出されなくなる。
【００４８】
時点Ｔ０を境にして、カフは圧力２を徐々に減少させる。圧力２が心臓の鼓動により脈動する動脈内圧６１の最高値と等しくなった時点Ｔ１で血液が流れ始め、脈波１が出現する。この時点Ｔ１での圧力２が収縮期血圧値Ｐ１となる。
【００４９】
時点Ｔ１から脈波１の振幅は徐々に大きくなり、時点Ｔ２で最大となる。この時点Ｔ２での圧力２が、拡張期血圧値Ｐ２となる。このように、情報処理手段３５は、収縮期血圧値Ｐ１及び拡張期血圧値Ｐ２を決定し、血圧値３を算定することができる。なお、血圧値３を算定する方法は上記に限定されるものではなく、徐々に圧力２を増加させるものでもよい。このように、情報処理手段３５は、血圧値３として収縮期血圧値、拡張期血圧値を算定することが好ましい。さらに、情報処理手段３５は、平均血圧値を算定することが好ましい。すなわち、図１に示す血圧算定手段１１は、血圧値３として収縮期血圧値、拡張期血圧値、平均血圧値を算定することが好ましい。これにより、図１に示す表示手段１２は、時系列脈波グラフ５及び血圧値３を同時に表示することができる。よって、被検者は、測定された血圧値３を、時系列脈波グラフ５を参照しながら確認することができる。
【００５０】
筐体３６は、例えば、情報処理手段３５を格納するものである。筐体３６は、さらに、圧力可変手段３２、圧力検出手段３３及び脈波検出手段３４を格納していてもよい。筐体３６は、表示手段１２に固定されていてもよいし、分離されていてもよい。
【００５１】
表示手段１２は、血圧算定手段１１の検出する脈波１の信号レベルの時系列グラフを時系列脈波グラフ５として表示するものである。表示手段１２としては、例えば、液晶表示装置、ＬＥＤディスプレイ、ＥＬ（Ｅｌｅｃｔｒｏ  Ｌｕｍｉｎｅｓｃｅｎｃｅ）ディスプレイを用いることができる。
【００５２】
時系列脈波グラフ５は、脈波１の信号レベルの時系列グラフである。時系列脈波グラフ５は、例えば、一方を時間軸、他方を脈波１の信号レベルとする２次元グラフである。時間軸の時間幅は、例えば、血圧値３の測定を開始した時から、血圧値３の測定を終了するまでに要する時間とすることができる。血圧値３の測定を開始した時は、例えば、前述の図２に示した時点Ｔ０とすることができる。また、図２に示した時点Ｔ０の前であり、圧力２を増加し始めた時点としてもよい。また、外部からの入力により表示する時間幅が可変であってもよい。外部からの入力には、例えば切り替えボタン１３を用いることができる。
【００５３】
血圧算定手段１１が検出する脈波１の波形を１０ｍｓｅｃ以下のサンプリング間隔で抽出する場合、表示手段１２は、血圧算定手段１１の抽出する脈波１の信号レベルの時系列グラフを時系列脈波グラフ５として表示することが好ましい。表示手段１２が１０ｍｓｅｃ以下のサンプリング間隔で抽出された時系列脈波グラフ５を表示すれば、時系列脈波グラフ５の変動を明示することができる。
【００５４】
時系列脈波グラフ５は、圧力２の重畳されていない、脈波１のみの信号レベルであることが好ましい。圧力２が重畳されていなければ、脈波１の変動をより正確に表示することができる。また、時系列脈波グラフ５は、血圧値３の測定途中のものであってもよいし、測定完了後のものであってもよい。
【００５５】
このように、表示手段１２は時系列脈波グラフ５を表示するので、どのような脈波１が検出されたかを明示することができる。これにより、被検者は、測定が正常に行われたかを確認することができる。例えば、前述の図２に示す時点Ｔ０である最高加圧時に脈波信号の振幅が十分小さくなっているかである。また、測定途中で圧力の上昇若しくは減少の速度が直線性から大きな逸脱がないかである。また、典型的なオシロメトリック法による脈波波形と圧力との関係と比較して大きな逸脱がないかである。血圧計９１は、表示手段１２を備えるので、被検者自身によるこれらの視認が可能となる。よって、血圧算定手段１１の算定する血圧値３の信頼性を高めることができる。
【００５６】
表示手段１２は、血圧算定手段１１の検出する圧力２の時系列グラフを時系列圧力グラフ６としてさらに表示することが好ましい。時系列圧力グラフ６は、例えば、一方を時間軸、他方を圧力２とする２次元グラフである。時間軸の時間幅は、例えば、時系列脈波グラフ５と同様とすることができる。また、時系列圧力グラフ６の時間軸は、時系列脈波グラフ５と共通とすることが好ましい。
【００５７】
血圧算定手段１１が検出する圧力２を１０ｍｓｅｃ以下のサンプリング間隔で抽出する場合、表示手段１２は、血圧算定手段１１の抽出する圧力２の時系列グラフを時系列圧力グラフ６として表示することが好ましい。表示手段１２が１０ｍｓｅｃ以下のサンプリング間隔で抽出された時系列圧力グラフ６を表示すれば、時系列圧力グラフ６の変動を明示することができる。
【００５８】
表示手段１２は、時系列脈波グラフ５と時系列圧力グラフ６とを異なる色彩で表示することが好ましい。さらに、時系列脈波グラフ５と時系列圧力グラフ６とを対称色で表示することが好ましい。時系列脈波グラフ５と時系列圧力グラフ６とを異なる色彩で表示するので、時系列脈波グラフ５と時系列圧力グラフ６とを重ねて表示することができる。
【００５９】
表示手段１２は、血圧算定手段１１の算定する収縮期血圧値及び拡張期血圧値をさらに表示することが好ましい。さらに、血圧算定手段１１の算定する収縮期血圧値、拡張期血圧値及び平均血圧値を表示することが好ましい。収縮期血圧値、拡張期血圧値及び平均血圧値は、例えば、前述の情報処理手段３５の算定した血圧値３である。表示手段１２が血圧値３を表示すれば、被検者は、時系列脈波グラフ５を参照しながら血圧値３を確認することができる。
【００６０】
表示手段１２は、血圧算定手段１１の算定する収縮期血圧値、拡張期血圧値、平均血圧値の圧力が検出された時点７を、時系列圧力グラフ６上にさらに表示することが好ましい。血圧算定手段１１の算定する収縮期血圧値、拡張期血圧値、平均血圧値の圧力が検出された時点７とは、例えば、情報処理手段３５が収縮期血圧値、拡張期血圧値、平均血圧値と算定した血圧算定時点７である。表示は、例えば、図１に示すようなプロット表示とすることができる。表示は、プロット表示に限定されるものではく、例えば、時点上を結ぶ直線とすることもできる。血圧算定時点７は、時系列圧力グラフ６上だけでなく、時系列脈波グラフ５上に表示してもよい。また、時系列脈波グラフ５上及び時系列圧力グラフ６上に示してもよい。表示手段１２は、血圧値３を算定した時点を時系列圧力グラフ６上に表示することができる。よって、時系列圧力グラフ６及び時系列脈波グラフ５を同一時間軸上に表示すれば、表示手段１２は、血圧値３の算定に用いられた脈波の特徴点を明示することができる。
【００６１】
表示手段１２は、血圧算定手段１１が血圧値３を算定した年月日及び時刻を血圧算定時刻８としてさらに表示することが好ましい。血圧算定時刻８は、例えば、血圧算定手段１１が血圧値３の測定を開始した時である。血圧算定時刻８は、血圧算定手段１１が血圧値３の測定を終了した時が含まれていてもよい。このように、表示手段１２が血圧算定時刻８をさらに表示すれば、被検者は血圧値３の測定された日時を確認することができる。
【００６２】
血圧計９１は、表示手段１２の表示画面を切替える切り替えボタン１３を備えることが好ましい。切り替えボタン１３は、例えば、表示手段１２の表示している時系列脈波グラフ５及び時系列圧力グラフ６の画面と、表示手段１２の表示している血圧算定手段１１の算定する血圧値３としての収縮期血圧値、拡張期血圧値及び平均血圧値の画面と、を切替えるものである。切り替えボタン１３としては、例えば、押しボタン式スイッチ等の機械的な変化を感知するスイッチを用いることができる。また、回転角度に応じて表示モードが切り替わる回転スイッチを用いてもよい。このように、表示手段１２は、時系列脈波グラフ５及び時系列圧力グラフ６と、測定した血圧値３とを切り替えることができるので、時系列脈波グラフ５及び時系列圧力グラフ６を拡大表示することができる。よって、被検者は、血圧値３を算定する際に用いられた脈波の特徴点をより明確に視認することができる。
【００６３】
血圧計９１は、血圧算定手段１１の検出する脈波１及び圧力２を記憶する記憶手段３８を備えることが好ましい。記憶手段３８は、例えば、磁気テープ、ハードディスク、半導体メモリー又は光ディスクを用いることができる。記憶手段３８が脈波１及び圧力２を記憶するので、情報処理手段３５が血圧値３を算定する基礎データを記録することができる。
【００６４】
記憶手段３８は、血圧算定手段１１の算定する血圧値３として、収縮期血圧値、拡張期血圧値及び平均血圧値をさらに記憶することが好ましい。さらに、記憶手段３８は、脈波１の信号レベル及び血圧値３を、血圧算定手段１１が血圧値３の測定を開始した年月日及び時刻と関連付けて記憶することが好ましい。記憶手段３８がさらに血圧値３を記憶すれば、血圧値３の測定結果を即時に読み出すことができる。よって、表示手段１２は血圧値３を即時に表示することができる。
【００６５】
記憶手段３８は、血圧計９１と着脱可能であることが好ましい。このような記憶手段３８としては、例えば、磁気テープ、半導体メモリ又は光ディスクがある。また、記憶手段３８は、コンピュータで読み取り可能であることが好ましい。例えば、ＵＳＢ（Ｕｎｉｖｅｒｓａｌ Ｓｅｒｉａｌ Ｂｕｓ）コネクタ又はＳＣＳＩコネクタ等のコンピュータで読み取り可能な出力端子を備えていてもよい。さらに、記憶手段３８は、血圧計９１と着脱可能でありかつコンピュータで読み取り可能であることが好ましい。例えば、コンピュータで読み取り可能な磁気テープ、半導体メモリ又は光ディスクを用いることができる。このような磁気テープとしては、例えば、ＤＬＴ（Ｄｉｇｉｔａｌ Ｌｉｎｅａｒ Ｔａｐｅ）、ＱＩＣ（Ｑｕａｒｔｅｒ−Ｉｎｃｈ Ｃａｒｔｒｉｄｇｅ Ｄｒｉｖｅ Ｓｔａｎｄａｒｄｓ）、ＤＤＳ（Ｄｉｇｉｔａｌ Ｄａｔａ Ｓｔｏｒａｇｅ）といった規格のものがある。また、半導体メモリとしては、例えば、フラッシュメモリを用いることができる。また、光ディスクとしては、ＣＤ（Ｃｏｍｐａｃｔ Ｄｉｓｃ）、ＤＶＤ（Ｄｉｇｉｔａｌ  Ｖｅｒｓａｔｉｌｅ  Ｄｉｓｋ ）又はＰＤ（Ｐｈａｓｅ ｃｈａｎｇｅ ｒｅｗｒｉｔａｂｌｅ Ｄｉｓｋ）を用いることができる。これにより、脈波１及び圧力２の電子カルテへの記録が容易になる。また、医師は、血圧値３に混じるノイズを確認できるので、より正確な診断が可能になる。
【００６６】
血圧計９１の動作の一例について図１を用いて説明する。血圧算定手段１１は血圧値３の算定を開始する。表示手段１２は、血圧算定手段１１の血圧値３の算定と共に表示を開始する。図３は、血圧値の算定途中での表示手段の表示の第１例を示す模式図である。図３に示す表示は、血圧値３の算定途中での画面の一例であり、一旦増加した圧力を徐々に減少させる途中で、圧迫により検出されていなかった脈波が出現している様子を示す。脈波１の時系列脈波グラフ５と圧力２の時系列圧力グラフ６とが同一時間軸上に表示されており、グラフ表示されない余白に、最高血圧値、平均血圧値及び最低血圧値を数値表示する欄が設けられている。図３の時点では脈波が出現しており、時系列脈波グラフ５上に脈波の出現が現れている。また、脈波の出現した時点を時系列圧力グラフ６上にプロット表示している。また、血圧算定手段１１は脈波１の出現した時点に基づいて収縮期血圧値を算定しており、表示手段１２は血圧算定手段１１の収縮期血圧値と算定した時点での圧力２を最高血圧値として数値表示している。最高血圧値の数値表示は、一例として「１３８」とした。また、表示手段１２は収縮期血圧値と算定した時点を「Ｓ」として表示している。また、血圧算定手段１１の検出した最新の圧力２を数値表示している。最新の圧力２の数値表示は、一例として「１２１」とした。
【００６７】
ここで、切り替えボタン１３が入力された場合の表示手段１２の画面切り替え例について説明する。図４は、血圧値の算定途中での表示手段の表示の第２例を示す模式図である。図４に示す表示は、血圧算定手段１１の検出する圧力２と、圧力２の増減を示す矢印と、血圧値を算定中であることを示すハートマークと、現在の日時とが示されている。ハートマークは拍動に合わせて点滅させてもよい。表示する圧力２は、最新の圧力であり、時々刻々変化する。切り替えボタン１３が入力されることにより、図３に示した表示の第１例と図４に示す表示の第２例とを切り替えることができる。また、表示の切り替えはこれに限定されない。例えば、切り替えボタン１３が入力されることにより、時系列脈波グラフ５のみの表示となってもよいし、時系列脈波グラフ５の拡大表示をしてもよい。
【００６８】
また、血圧値３の算定において何らかの障害があり、血圧算定手段１１が血圧値３を算定不能である場合、表示手段１２はその旨を表示することもできる。例えば、「Ｅｒｒ」、「エラー」又は「測定できませんでした」と表示することができる。表示部分は、例えば、図３の圧力２の表示部分とすることができる。また、時系列脈波グラフ５の表示部分であってもよい。
【００６９】
図５は、血圧値３の算定終了後での表示手段の表示の第１例を示す模式図である。表示の第１例では、血圧値３の算定に用いられた脈波１の時系列脈波グラフ５及び圧力２の時系列圧力グラフ６が、同一時間軸上で、血圧値３の算定開始時から表示されている。また、表示手段１２は血圧算定手段１１の拡張期血圧値と算定した時点での圧力２を最低血圧値として数値表示し、この時点を時系列圧力グラフ６上に「Ｄ」としてプロット表示している。また、表示手段１２は血圧算定手段１１の平均血圧値と算定した時点での圧力２を数値表示し、この時点を時系列圧力グラフ６上に「Ｍ」としてプロット表示している。
【００７０】
ここで、切り替えボタン１３が入力された場合の表示手段１２の画面切り替え例について説明する。図６は、血圧値３の算定終了後での表示手段の表示の第２例を示す模式図である。表示の第２例では、最高血圧値と、平均血圧値と、最低血圧値と、脈拍と、血圧算定時刻８が表示されている。図５に示されている表示内容と図６に示されている表示内容とは関係付けて記憶されていることが好ましく、血圧算定時刻８を変更すると、血圧算定時刻に関係付けて記憶されている表示内容を表示することが好ましい。血圧算定時刻８ごとに血圧値３の算定に用いられた基礎データを記憶し、読み出すことができれば、被検者は過去の血圧値３及びその基礎データを参照することができる。このように、切り替えボタン１３が入力されることにより、図５に示した表示の第１例と図６に示す表示の第２例とを切り替えることができる。さらに、血圧算定時刻８ごとに表示を切り替えることができる。
【００７１】
以上説明したように、本実施形態に係る血圧計９１は、血圧値３の測定中に得られた脈波１と圧力２との関係を、測定中若しくは測定後にグラフ表示することができるので、どのような脈波が得られ、脈波のどのような特徴点で血圧値３が算定されたかを明示することができる。これにより、被検者にとっては、測定が正常に行われたかを被検者自身で判別することができ、装置への信頼性を飛躍的に高めることができる。
【産業上の利用可能性】
【００７２】
本発明は、脈波の波形を表示することができるので、エアロバイク等の健康器具に利用することができる。
【図面の簡単な説明】
【００７３】
【図１】本実施形態に係る血圧計の模式図である。
【図２】血圧値の測定過程の一例を示すグラフであり、（ａ）は圧力の時間推移、（ｂ）は脈波の信号レベルの時間推移を示す。
【図３】血圧値の算定途中での表示手段の表示の第１例を示す模式図である。
【図４】血圧値の算定途中での表示手段の表示の第２例を示す模式図である。
【図５】血圧値の算定終了後での表示手段の表示の第１例を示す模式図である。
【図６】血圧値の算定終了後での表示手段の表示の第２例を示す模式図である。
【符号の説明】
【００７４】
１  脈波
２  圧力
３  血圧値
５  時系列脈波グラフ
６  時系列圧力グラフ
７  血圧算定時点
８  血圧算定時刻
１１  血圧算定手段
１２  表示手段
１３  切り替えボタン
３１  カフ
３２  圧力可変手段
３３  圧力検出手段
３４  脈波検出手段
３５  情報処理手段
３６  筐体
３７  空気チューブ
３８  記憶手段
６１  動脈内圧
９１  血圧計
Ｐ０  測定開始圧力値
Ｐ１  収縮期血圧値
Ｐ２  拡張期血圧値
Ｔ０、Ｔ１、Ｔ２、Ｔ３  時点
【図１】
2007098003.tif 000003
【図２】
2007098003.tif 000004
【図３】
2007098003.tif 000005
【図４】
2007098003.tif 000006
【図５】
2007098003.tif 000007
【図６】
2007098003.tif 000008